(57)【要約】  第１の無線周波数を用いた端末装置（２００）との無線通信を制御する基地局装置（１００）は、前記端末装置（２００）が前記第１の無線周波数と異なる第２の無線周波数を測定することが可能な期間を制御する制御部（１２４）と、前記第２の無線周波数と前記期間とに関する情報を含む制御信号を前記端末装置（２００）へ送信する送信部（１４０）と、前記期間において、前記端末装置（２００）宛てのデータが発生した場合に、前記データを転送する転送部（１１０）とを有する。
2019187134.tif 000002
【特許請求の範囲】
【請求項１】
第１の無線周波数を用いた端末装置との無線通信を制御する基地局装置であって、
前記端末装置が前記第１の無線周波数と異なる第２の無線周波数を測定することが可能な期間を制御する制御部と、
前記第２の無線周波数と前記期間とに関する情報を含む制御信号を前記端末装置へ送信する送信部と、
前記期間において、前記端末装置宛てのデータが発生した場合に、前記データを転送する転送部と
を有することを特徴とする基地局装置。
【請求項２】
前記送信部は、
前記期間において、前記端末装置に関する情報及び／又は前記端末装置との通信における遅延に関する情報をさらに含む制御信号を送信する
ことを特徴とする請求項１記載の基地局装置。
【請求項３】
前記第１の無線周波数の無線品質の測定結果を前記端末装置から取得し、前記第１の無線周波数の無線品質が所定の測定閾値未満であるか否かを判定する判定部をさらに有し、
前記制御部は、
前記判定部によって前記第１の無線周波数の無線品質が所定の測定閾値未満であると判定された場合に、前記期間を設定する
ことを特徴とする請求項１記載の基地局装置。
【請求項４】
前記第１の無線周波数のリソース使用量が所定の閾値以上であるか否かを判定する判定部をさらに有し、
前記制御部は、
前記判定部によって前記第１の無線周波数のリソース使用量が所定の閾値以上であると判定された場合に、前記期間を設定する
ことを特徴とする請求項１記載の基地局装置。
【請求項５】
前記送信部は、
過去の無線品質が最も良好かつ前記第１の無線周波数と異なる無線周波数を前記第２の無線周波数と決定し、前記第２の無線周波数へ通信周波数を切り替えて無線品質を測定するように前記端末装置へ指示するための情報を送信する
ことを特徴とする請求項１記載の基地局装置。
【請求項６】
前記制御部は、
前記端末装置の現在位置を推定し、前記端末装置の現在位置の最も近くで無線通信に使用されておりかつ前記第１の無線周波数と異なる無線周波数を前記第２の無線周波数と決定し、
前記送信部は、
前記第２の無線周波数へ通信周波数を切り替えて無線品質を測定するように前記端末装置へ指示するための情報を送信する
ことを特徴とする請求項１記載の基地局装置。
【請求項７】
前記転送部は、
前記第２の無線周波数の過去の無線品質が所定の送信閾値以上であるか否かを判定し、前記第２の無線周波数の過去の無線品質が所定の送信閾値以上である場合に、前記データを転送する
ことを特徴とする請求項１記載の基地局装置。
【請求項８】
前記転送部は、
前記第２の無線周波数を用いた前記端末装置との無線通信を制御する他の基地局装置へ前記端末装置宛てのデータを転送する
ことを特徴とする請求項１記載の基地局装置。
【請求項９】
前記第２の無線周波数を用いる無線通信を制御する通信制御部をさらに有し、
前記転送部は、
前記通信制御部へ前記端末装置宛てのデータを転送する
ことを特徴とする請求項１記載の基地局装置。
【請求項１０】
前記端末装置から、前記データに対する受信確認情報を受信する受信部をさらに有することを特徴とする請求項１記載の基地局装置。
【請求項１１】
第１の無線周波数を用いた端末装置との無線通信を制御する基地局装置であって、
第１の無線周波数を用いて通信中の前記端末装置が、前記第１の無線周波数と異なる第２の無線周波数を測定する期間に関する制御情報を受信する受信部と、
前記期間において、前記受信部が、データの発生に関する情報、又は前記データの転送に関する情報と、前記データを受信した場合、前記データを前記端末装置に送信する送信部と
を有することを特徴とする基地局装置。
【請求項１２】
前記受信部は、
前記期間において、前記端末装置に関する情報及び／又は通信における遅延に関する情報をさらに含む制御情報を受信する
ことを特徴とする請求項１１記載の基地局装置。
【請求項１３】
第１の無線周波数を用いて基地局装置と無線通信する端末装置であって、
前記基地局装置から指示される期間に、前記第１の無線周波数と異なる第２の無線周波数の無線品質を測定することが可能な測定部と、
前記期間において、前記第２の無線周波数によって送信されたデータを受信する受信部と
を有することを特徴とする端末装置。
【請求項１４】
第１の無線周波数を用いて無線通信する基地局装置と端末装置とを有する無線通信システムであって、
前記基地局装置は、
前記端末装置に前記第１の無線周波数とは異なる第２の無線周波数の無線品質を測定する期間に関する情報と、前記第２の無線周波数に関する情報とを含む制御信号を前記端末装置へ送信する送信部と、
前記期間において、データが発生した場合に、前記データを転送する転送部とを有し、
前記端末装置は、
前記期間において前記第２の無線周波数の無線品質を測定する測定部と、
前記期間において、前記第２の無線周波数によって送信された前記データを受信する受信部とを有する
ことを特徴とする無線通信システム。
【請求項１５】
第１の無線周波数を用いた端末装置との無線通信を制御する基地局装置が実行するデータ送信方法であって、
前記端末装置に前記第１の無線周波数とは異なる第２の無線周波数の無線品質を測定することが可能な期間に関する情報と、前記第２の無線周波数に関する情報とを含む制御信号を前記端末装置へ送信し、
前記期間において、データが発生した場合に、前記データを転送する
処理を有することを特徴とするデータ送信方法。
【発明の詳細な説明】
【技術分野】
【０００１】
本発明は、基地局装置、端末装置、無線通信システム及びデータ送信方法に関する。
【背景技術】
【０００２】
現在のネットワークは、モバイル端末（スマートフォンやフィーチャーホン）のトラフィックがネットワークのリソースの大半を占めている。また、モバイル端末が使うトラフィックは、今後も拡大していく傾向にある。【０００３】
一方で、ＩｏＴ（Internet  of  things）サービス（例えば、交通システム、スマートメータ、装置等の監視システム）の展開に合わせて、多様な要求条件を持つサービスに対応することが求められている。そのため、第５世代移動体通信（５Ｇ又はＮＲ（New  Radio））の通信規格では、４Ｇ（第４世代移動体通信）の標準技術（例えば、非特許文献１〜１１）に加えて、さらなる高データレート化、大容量化、低遅延化を実現する技術が求められている。なお、第５世代通信規格については、３ＧＰＰの作業部会（例えば、ＴＳＧ−ＲＡＮ  ＷＧ１、ＴＳＧ−ＲＡＮ  ＷＧ２等）で技術検討が進められている（非特許文献１２〜３８）。【０００４】
上記で述べたように、多種多様なサービスに対応するために、５Ｇでは、ｅＭＢＢ（Enhanced  Mobile  BroadBand）、Ｍａｓｓｉｖｅ  ＭＴＣ（Machine  Type  Communications)、及びＵＲＬＬＣ（Ultra−Reliable  and  Low  Latency  Communication）に分類される多くのユースケースのサポートが想定されている。【０００５】
その中でも、ＵＲＬＬＣは、実現が最も困難なユースケースである。まず第１に、ＵＲＬＬＣでは、無線区間でのエラーレートを１０−５のオーダーにするという超高信頼性が要求される。超高信頼性を実現する１つの方法として、使用リソース量を増やしてデータに冗長性を持たせる方法がある。しかし、無線リソースには限りがあるので、無制限に使用リソースを増やすことはできない。【０００６】
第２に、ＵＲＬＬＣでは、上り回線及び下り回線におけるユーザプレーンの無線区間での遅延を０．５ミリ秒以下にすることが目標とされている。これは、４Ｇ無線システム（ＬＴＥ：Long  Term  Evolution）の１/１０未満という高い要求である。このように、ＵＲＬＬＣでは、超高信頼性と低遅延という２つの要求を同時に満たす必要がある。【０００７】
ところで、ＵＲＬＬＣを含む５Ｇの無線通信には、周波数帯域幅が広いキャリアを用いることが考えられている。このため、無線通信に使用される全体の帯域幅は、例えば端末装置が受信可能な受信帯域幅よりも広いことがあり、端末装置は、例えばセルごとに受信帯域幅を切り替えて信号を受信することがある。このような場合、端末装置のハンドオーバに際しては、端末装置は、ハンドオーバ先のセルの無線品質を測定するために通信周波数を切り替える必要が生じる。【０００８】
そこで、端末装置における接続セルの無線品質が低下した場合には、接続セルの基地局装置は、接続セルにおける通信を中断するギャップ区間を設定し、ギャップ区間中に端末装置に通信周波数を切り替えさせて周辺セルの無線品質を測定させる。
【先行技術文献】
【非特許文献】
【０００９】
【非特許文献１】3GPP  TS  36.211  V15.0.0（2017-12）
【非特許文献２】3GPP  TS  36.212  V15.0.1（2018-01）
【非特許文献３】3GPP  TS  36.213  V15.0.0（2017-12）
【非特許文献４】3GPP  TS  36.300  V15.0.0（2017-12）
【非特許文献５】3GPP  TS  36.321  V15.0.0（2017-12）
【非特許文献６】3GPP  TS  36.322  V15.0.0（2017-12）
【非特許文献７】3GPP  TS  36.323  V14.5.0（2017-12）
【非特許文献８】3GPP  TS  36.331  V15.0.1（2018-01）
【非特許文献９】3GPP  TS  36.413  V15.0.0（2017-12）
【非特許文献１０】3GPP  TS  36.423  V15.0.0（2017-12）
【非特許文献１１】3GPP  TS  36.425  V14.0.0（2017-03）
【非特許文献１２】3GPP  TS  37.340  V15.0.0（2017-12）
【非特許文献１３】3GPP  TS  38.201  V15.0.0（2017-12）
【非特許文献１４】3GPP  TS  38.202  V15.0.0（2017-12）
【非特許文献１５】3GPP  TS  38.211  V15.0.0（2017-12）
【非特許文献１６】3GPP  TS  38.212  V15.0.0（2017-12）
【非特許文献１７】3GPP  TS  38.213  V15.0.0（2017-12）
【非特許文献１８】3GPP  TS  38.214  V15.0.0（2017-12）
【非特許文献１９】3GPP  TS  38.215  V15.0.0（2017-12）
【非特許文献２０】3GPP  TS  38.300  V15.0.0（2017-12）
【非特許文献２１】3GPP  TS  38.321  V15.0.0（2017-12）
【非特許文献２２】3GPP  TS  38.322  V15.0.0（2017-12）
【非特許文献２３】3GPP  TS  38.323  V15.0.0（2017-12）
【非特許文献２４】3GPP  TS  38.331  V15.0.0（2017-12）
【非特許文献２５】3GPP  TS  38.401  V15.0.0（2017-12）
【非特許文献２６】3GPP  TS  38.410  V0.6.0（2017-12）
【非特許文献２７】3GPP  TS  38.413  V0.5.0（2017-12）
【非特許文献２８】3GPP  TS  38.420  V0.5.0（2017-12）
【非特許文献２９】3GPP  TS  38.423  V0.5.0（2017-12）
【非特許文献３０】3GPP  TS  38.470  V15.0.0（2018-01）
【非特許文献３１】3GPP  TS  38.473  V15.0.0（2017-12）
【非特許文献３２】3GPP  TR  38.801  V14.0.0（2017-04）
【非特許文献３３】3GPP  TR  38.802  V14.2.0（2017-09）
【非特許文献３４】3GPP  TR  38.803  V14.2.0（2017-09）
【非特許文献３５】3GPP  TR  38.804  V14.0.0（2017-03）
【非特許文献３６】3GPP  TR  38.900  V14.3.1（2017-07）
【非特許文献３７】3GPP  TR  38.912  V14.1.0（2017-06）
【非特許文献３８】3GPP  TR  38.913  V14.3.0（2017-06）
【発明の概要】
【発明が解決しようとする課題】
【００１０】
しかしながら、ギャップ区間においては、接続セルにおける通信が中断されるため、ギャップ区間において発生する下り送信データの遅延が増大するという問題がある。すなわち、ギャップ区間においては、端末装置は、接続セルでの使用周波数とは異なる周波数帯域に通信周波数を切り替えるため、たとえ接続セルの基地局装置がデータを送信しても端末装置に受信されない。このため、ギャップ区間中に下り送信データが発生した場合には、接続セルの基地局装置は、ギャップ区間が終了するまで待機し、端末装置の通信周波数が接続セルでの使用周波数に戻ってからデータを送信する。この結果、下り送信データが発生してから実際に送信されるまでの遅延が増大してしまう。【００１１】
特に、下り送信データが例えばＵＲＬＬＣデータのように低遅延が要求されるデータの場合、要求される遅延の基準を満たすことが困難になる場合がある。【００１２】
開示の技術は、かかる点に鑑みてなされたものであって、データ送信の遅延を抑制することができる基地局装置、端末装置、無線通信システム及びデータ送信方法を提供することを目的とする。
【課題を解決するための手段】
【００１３】
本願が開示する基地局装置は、１つの態様において、第１の無線周波数を用いた端末装置との無線通信を制御する基地局装置であって、前記端末装置が前記第１の無線周波数と異なる第２の無線周波数を測定することが可能な期間を制御する制御部と、前記第２の無線周波数と前記期間とに関する情報を含む制御信号を前記端末装置へ送信する送信部と、前記期間において、前記端末装置宛てのデータが発生した場合に、前記データを転送する転送部とを有する。
【発明の効果】
【００１４】
本願が開示する基地局装置、端末装置、無線通信システム及びデータ送信方法の１つの態様によれば、データ送信の遅延を抑制することができるという効果を奏する。
【図面の簡単な説明】
【００１５】
【図１】図１は、実施の形態１に係る無線通信システムの構成を示す図である。
【図２】図２は、実施の形態１に係る基地局装置の構成を示すブロック図である。
【図３】図３は、実施の形態１に係る基地局装置の動作を示すフロー図である。
【図４】図４は、実施の形態１に係る端末装置の構成を示すブロック図である。
【図５】図５は、実施の形態１に係るＵＲＬＬＣデータ送信処理を示すシーケンス図である。
【図６】図６は、実施の形態１に係る他のＵＲＬＬＣデータ送信処理を示すシーケンス図である。
【図７】図７は、実施の形態１に係るさらに他のＵＲＬＬＣデータ送信処理を示すシーケンス図である。
【図８】図８は、実施の形態２に係る無線通信システムの構成を示す図である。
【図９】図９は、実施の形態２に係る基地局装置の構成を示すブロック図である。
【図１０】図１０は、実施の形態２に係るＵＲＬＬＣデータ送信処理を示すシーケンス図である。
【図１１】図１１は、実施の形態３に係る無線通信システムの構成を示す図である。
【図１２】図１２は、実施の形態３に係る基地局装置の構成を示すブロック図である。
【図１３】図１３は、実施の形態３に係るＵＲＬＬＣデータ送信処理を示すシーケンス図である。
【図１４】図１４は、実施の形態４に係る基地局装置の構成を示すブロック図である。
【図１５】図１５は、実施の形態４に係る基地局装置の動作を示すフロー図である。
【発明を実施するための形態】
【００１６】
以下、本願が開示する基地局装置、端末装置、無線通信システム及びデータ送信方法の実施の形態について、図面を参照して詳細に説明する。なお、この実施の形態により本発明が限定されるものではない。
【００１７】
（実施の形態１）
図１は、実施の形態１に係る無線通信システムの構成を示す図である。図１に示すように、基地局装置１００は、それぞれ無線通信可能な領域であるセルを形成し、端末装置２００は、在圏するセルの基地局装置１００との間で無線通信する。以下では、端末装置２００が無線通信中の基地局装置１００が形成するセルを「接続セル」といい、接続セルの周辺のセルを「周辺セル」という。また、接続セルの基地局装置１００を「接続基地局」といい、周辺セルの基地局装置１００を「周辺基地局」という。図１においては、一方の基地局装置１００が接続基地局であり、他方の基地局装置１００が周辺基地局であるものとし、接続セルと周辺セルで使用される周波数帯域が異なるものとする。
【００１８】
端末装置２００は、接続セルにおける例えばＳＩＲ（Signal  to  Interference  Ratio）などの無線品質を定期的に測定し、接続基地局へ報告する。接続基地局は、報告された無線品質が所定の閾値未満に低下した場合に、端末装置２００に周辺セルの無線品質を測定させるためのギャップ区間を設定し、周辺セルの無線品質の測定指示を端末装置２００へ送信する。
【００１９】
端末装置２００は、接続基地局から測定指示を受信すると、ギャップ区間において通信周波数を周辺セルの周波数帯域に切り替え、周辺セルの無線品質を測定する。このとき、接続基地局において例えばＵＲＬＬＣデータが発生した場合、端末装置２００が通信周波数を周辺セルの周波数帯域に切り替えているため、接続基地局がＵＲＬＬＣデータを送信しても、端末装置２００に受信されない。そこで、接続基地局は、ギャップ区間中に発生したＵＲＬＬＣデータを周辺基地局へ転送し、このＵＲＬＬＣデータを周辺基地局が端末装置２００へ送信する。これにより、接続基地局は、ギャップ区間が終了するまで待機することなく、低遅延が要求されるＵＲＬＬＣデータを端末装置２００へ送信することができる。
【００２０】
図２は、実施の形態１に係る基地局装置１００の構成を示すブロック図である。図２においては、主に接続基地局の構成を図示している。図２に示す基地局装置１００は、基地局間インタフェース部（以下「基地局間Ｉ／Ｆ部」と略記する）１１０、プロセッサ１２０、メモリ１３０及び無線送受信部１４０を有する。
【００２１】
基地局間Ｉ／Ｆ部１１０は、他の基地局装置１００と接続するインタフェースを有し、他の基地局装置１００との間でデータを送受信する。基地局装置１００が接続基地局である場合、基地局間Ｉ／Ｆ部１１０は、ギャップ区間中に発生したＵＲＬＬＣデータを周辺基地局へ転送する。一方、基地局装置１００が周辺基地局である場合、基地局間Ｉ／Ｆ部１１０は、ギャップ区間中に発生したＵＲＬＬＣデータを接続基地局から受信する。
【００２２】
プロセッサ１２０は、例えばＣＰＵ（Central  Processing  Unit）、ＦＰＧＡ（Field  Programmable  Gate  Array）又はＤＳＰ（Digital  Signal  Processor）などを備え、基地局装置１００の全体を統括制御する。具体的には、プロセッサ１２０は、符復号部１２１、変復調部１２２、無線品質判定部１２３、測定制御部１２４及びＵＲＬＬＣ制御部１２５を有する。
【００２３】
符復号部１２１は、送信データの符号化及び受信データの復号を実行する。具体的には、符復号部１２１は、例えば端末装置２００へ送信すべきＵＲＬＬＣデータが発生した場合に、ＵＲＬＬＣデータの符号化をする。また、符復号部１２１は、変復調部１２２から出力される受信データを復号する。
【００２４】
変復調部１２２は、送信データの変調及び受信データの復調を実行する。具体的には、変復調部１２２は、符復号部１２１によって符号化された送信データを変調し、無線送受信部１４０へ出力する。また、変復調部１２２は、無線送受信部１４０から出力される受信データを復調し、符復号部１２１へ出力する。
【００２５】
無線品質判定部１２３は、端末装置２００から定期的に送信される測定報告であって、接続セルにおける無線品質の測定結果を含む測定報告を取得し、接続セルの無線品質が所定の測定閾値未満であるか否かを判定する。そして、無線品質判定部１２３は、接続セルの無線品質が所定の測定閾値未満であると判定した場合には、その旨を測定制御部１２４へ通知する。
【００２６】
測定制御部１２４は、接続セルの無線品質が所定の測定閾値未満に低下したことが無線品質判定部１２３から通知された場合に、ギャップ区間を設定し、周辺セルの無線品質を測定するように端末装置２００へ指示する。すなわち、測定制御部１２４は、接続セルの無線品質が低下した場合に、測定対象の周辺基地局の識別情報と周辺セルの周波数帯域の情報とともに、ギャップ区間を特定する情報を含む測定指示を生成し、無線送受信部１４０を介して端末装置２００へ送信する。このとき、測定制御部１２４は、複数の周辺セルのうち前回までのギャップ区間に測定された無線品質が最も良好な周辺セルを測定対象として測定指示を生成しても良い。また、測定制御部１２４は、測定指示に含まれる情報をＵＲＬＬＣ制御部１２５にも出力する。なお、ギャップ区間を特定する情報としては、例えばギャップ区間の開始時刻及び終了時刻の情報などがある。
【００２７】
ＵＲＬＬＣ制御部１２５は、ＵＲＬＬＣデータの送受信を制御する。具体的には、ＵＲＬＬＣ制御部１２５は、例えばコアネットワークから端末装置２００宛てのＵＲＬＬＣデータを取得することなどにより、送信すべきＵＲＬＬＣデータが発生した場合に、このＵＲＬＬＣデータを符復号部１２１へ出力する。また、ＵＲＬＬＣ制御部１２５は、ギャップ区間中に送信すべきＵＲＬＬＣデータが発生した場合には、測定対象となっている周辺セルの前回のギャップ区間における無線品質が所定の送信閾値以上であるか否かを判定する。そして、ＵＲＬＬＣ制御部１２５は、周辺セルの前回のギャップ区間における無線品質が所定の送信閾値以上である場合に、この周辺セルを形成する周辺基地局へ基地局間Ｉ／Ｆ部１１０を介してＵＲＬＬＣデータを転送する。なお、基地局装置１００が周辺基地局である場合には、ＵＲＬＬＣ制御部１２５は、ギャップ区間中に接続セルから転送されたＵＲＬＬＣデータを符復号部１２１へ出力する。
【００２８】
メモリ１３０は、例えばＲＡＭ（Random  Access  Memory）又はＲＯＭ（Read  Only  Memory）などを備え、プロセッサ１２０が処理を実行するために使用する情報を記憶する。具体的には、メモリ１３０は、例えばギャップ区間中に端末装置２００が測定した周辺セルの無線品質を記憶する。
【００２９】
無線送受信部１４０は、送信データに対してＤ／Ａ（Digital/Analog）変換及びアップコンバートなどの無線送信処理を施し、アンテナを介して送信する。無線送受信部１４０が送信する送信データには、例えばＵＲＬＬＣデータなどのデータ信号や測定指示などの制御信号が含まれる。また、無線送受信部１４０は、アンテナを介して受信した受信データに対してダウンコンバート及びＡ／Ｄ（Analog/Digital）変換などの無線受信処理を施し、プロセッサ１２０へ出力する。無線送受信部１４０が受信する受信データには、例えば周辺セルの無線品質の測定結果を含む測定報告やＵＲＬＬＣデータに対する受信確認情報などが含まれる。なお、無線送受信部１４０は、無線送信部及び無線受信部に分割して設けられても良い。
【００３０】
次いで、上記のように構成された基地局装置１００の動作について、図３に示すフロー図を参照しながら説明する。以下においては、基地局装置１００が接続基地局である場合の動作について説明する。
【００３１】
基地局装置１００が端末装置２００の接続基地局となる場合、例えばコアネットワークから端末装置２００がＵＲＬＬＣのサービスを受ける端末装置であることが基地局装置１００へ通知される。この通知を受け、基地局装置１００は、周辺セルにおける初期の無線品質を収集する（ステップＳ１０１）。具体的には、測定制御部１２４によってギャップ区間が設定され、各周辺セルの無線品質の測定指示が端末装置２００へ送信され、端末装置２００によって測定された周辺セルの無線品質の情報が取得される。周辺セルの無線品質の情報は、それぞれ周辺基地局の識別情報と対応付けてメモリ１３０に記憶される。
【００３２】
そして、基地局装置１００と端末装置２００の間の無線通信が開始されると、端末装置２００は、接続セルの無線品質を定期的に測定し、接続セルの無線品質の測定結果を含む測定報告を送信する。測定報告は、基地局装置１００の無線送受信部１４０によって受信され（ステップＳ１０２）、無線品質判定部１２３によって取得される。そして、無線品質判定部１２３によって、接続セルの無線品質が所定の測定閾値を比較され（ステップＳ１０３）、無線品質が所定の測定閾値未満である場合には（ステップＳ１０３Ｙｅｓ）、その旨が測定制御部１２４へ通知される。
【００３３】
この通知を受け、測定制御部１２４によって、周辺セルの測定指示が生成される。すなわち、測定制御部１２４によって、メモリ１３０に記憶された各周辺セルの過去の無線品質が参照され、無線品質が最も良好な周辺セルが測定対象の周辺セルに決定される。ここでは、例えば周辺セルの初期の無線品質や前回までのギャップ区間に測定された無線品質に基づいて、今回のギャップ区間の測定対象となる周辺セルが決定される。そして、測定対象の周辺セルを形成する周辺基地局の識別情報と周辺セルの周波数帯域の情報とを含み、例えば開始時刻と終了時刻などのギャップ区間を特定する情報を含む測定指示が生成される。生成された測定指示は、無線送受信部１４０を介して端末装置２００へ送信される（ステップＳ１０４）。また、測定指示に含まれる情報は、ＵＲＬＬＣ制御部１２５にも出力される。
【００３４】
これらの処理が実行される際も、ＵＲＬＬＣ制御部１２５によってＵＲＬＬＣデータが発生したか否かが監視される（ステップＳ１０５）。すなわち、例えばコアネットワークから端末装置２００宛てのＵＲＬＬＣデータが受信されたか否かが監視され、ＵＲＬＬＣデータが発生しなければ（ステップＳ１０５Ｎｏ）、ＵＲＬＬＣデータの送信に関する処理は終了する。一方、ＵＲＬＬＣデータが発生した場合には（ステップＳ１０５Ｙｅｓ）、ＵＲＬＬＣ制御部１２５によって測定制御部１２４から出力された情報が参照されることにより、ギャップ区間中であるか否かが判断される（ステップＳ１０６）。ギャップ区間中でない場合には（ステップＳ１０６Ｎｏ）、発生したＵＲＬＬＣデータは、符復号部１２１へ出力され、符復号部１２１によって符号化され、変復調部１２２によって変調された後、無線送受信部１４０によって無線送信処理が施され、アンテナを介して端末装置２００へ送信される（ステップＳ１０９）。このように、ＵＲＬＬＣデータの発生タイミングがギャップ区間中でない場合には、ＵＲＬＬＣデータは、遅延することなく即座に基地局装置１００から送信される。
【００３５】
一方、ＵＲＬＬＣデータがギャップ区間中に発生した場合には（ステップＳ１０６Ｙｅｓ）、ＵＲＬＬＣ制御部１２５によって周辺セルの無線品質の情報が参照され、ギャップ区間における測定対象の周辺セルの過去の無線品質が所定の送信閾値以上であるか否かが判定される（ステップＳ１０７）。すなわち、今回のギャップ区間において端末装置２００が無線品質を測定する周辺セルの前回のギャップ区間における無線品質が所定の送信閾値以上であるか否かが判定される。この判定の結果、周辺セルの無線品質が所定の送信閾値未満である場合には（ステップＳ１０７Ｎｏ）、周辺セルにおいてＵＲＬＬＣデータの送信が困難と考えられるため、ＵＲＬＬＣデータは、破棄されるか又はギャップ区間終了後に送信される。
【００３６】
周辺セルの無線品質が所定の送信閾値以上である場合には（ステップＳ１０７Ｙｅｓ）、周辺セルにおいてＵＲＬＬＣデータの送信が可能と考えられるため、ＵＲＬＬＣ制御部１２５によってＵＲＬＬＣデータが基地局間Ｉ／Ｆ部１１０を介して周辺基地局へ転送される（ステップＳ１０８）。転送されたＵＲＬＬＣデータは、周辺基地局のＵＲＬＬＣ制御部１２５へ入力され、符復号部１２１、変復調部１２２及び無線送受信部１４０を経由してアンテナを介して端末装置２００へ送信される。ここでは、端末装置２００は、通信周波数を周辺セルの周波数帯域に切り替えて無線品質を測定しているため、周辺基地局から送信されたＵＲＬＬＣデータが端末装置２００によって受信される。このように、ＵＲＬＬＣデータの発生タイミングがギャップ区間中である場合には、ＵＲＬＬＣデータは、周辺基地局へ転送され、周辺基地局から即座に送信される。このため、ギャップ区間において端末装置２００が通信周波数を切り替えていても、データ送信の遅延を抑制することができる。
【００３７】
図４は、実施の形態１に係る端末装置２００の構成を示すブロック図である。図４に示す端末装置２００は、無線送受信部２１０、プロセッサ２２０及びメモリ２３０を有する。
【００３８】
無線送受信部２１０は、アンテナを介して受信した受信データに対してダウンコンバート及びＡ／Ｄ変換などの無線受信処理を施し、プロセッサ２２０へ出力する。無線送受信部２１０が受信する受信データには、例えばＵＲＬＬＣデータや測定指示などが含まれる。また、無線送受信部２１０は、送信データに対してＤ／Ａ変換及びアップコンバートなどの無線送信処理を施し、アンテナを介して送信する。無線送受信部２１０が送信する送信データには、例えば周辺セルの無線品質の測定結果を含む測定報告などが含まれる。
【００３９】
プロセッサ２２０は、例えばＣＰＵ、ＦＰＧＡ又はＤＳＰなどを備え、端末装置２００の全体を統括制御する。具体的には、プロセッサ２２０は、変復調部２２１、符復号部２２２、測定指示取得部２２３、周波数切替制御部２２４及び無線品質測定部２２５を有する。
【００４０】
変復調部２２１は、受信データの復調及び送信データの変調を実行する。具体的には、変復調部２２１は、無線送受信部２１０から出力される受信データを復調し、符復号部２２２へ出力する。また、変復調部２２１は、符復号部２２２によって符号化された送信データを変調し、無線送受信部２１０へ出力する。
【００４１】
符復号部２２２は、受信データの復号及び送信データの符号化を実行する。具体的には、符復号部２２２は、変復調部２２１から出力される受信データを復号する。また、符復号部２２２は、例えば接続セル又は周辺セルの無線品質の測定結果が得られた場合に、測定結果を含む測定報告の符号化をする。
【００４２】
測定指示取得部２２３は、符復号部２２２によって復号された受信データの中から測定指示を取得する。測定指示には、測定対象の周辺基地局の識別情報と周辺セルの周波数帯域の情報とともに、ギャップ区間を特定する情報が含まれている。測定指示取得部２２３は、測定指示に基づいて、ギャップ区間の開始時刻及び終了時刻と、周辺セルの周波数帯域とを周波数切替制御部２２４へ通知する。
【００４３】
周波数切替制御部２２４は、測定指示取得部２２３からの通知に基づいて、無線送受信部２１０における通信周波数を切り替える。具体的には、周波数切替制御部２２４は、測定指示取得部２２３からの通知がない間は、無線送受信部２１０における通信周波数を接続セルの周波数帯域に設定する。そして、周波数切替制御部２２４は、測定指示取得部２２３からの通知を受けると、ギャップ区間の開始時刻において、無線送受信部２１０における通信周波数を周辺セルの周波数帯域に切り替える。周波数切替制御部２２４は、通信周波数を周辺セルの周波数帯域に切り替えると、その旨を無線品質測定部２２５へ通知する。また、周波数切替制御部２２４は、ギャップ区間の終了時刻になると、無線送受信部２１０における通信周波数を接続セルの周波数帯域に切り替える。
【００４４】
無線品質測定部２２５は、接続基地局又は周辺基地局から送信されるパイロット信号を用いて接続セル又は周辺セルの無線品質を測定する。具体的には、無線品質測定部２２５は、接続基地局に接続している間、接続基地局から周期的に送信されるパイロット信号を用いて、例えばＳＩＲなどの接続セルにおける無線品質を測定する。そして、無線品質測定部２２５は、無線品質の測定結果を含む測定報告を生成し、符復号部２２２へ出力する。また、無線品質測定部２２５は、ギャップ区間において通信周波数が切り替えられると、周辺基地局から周期的に送信されるパイロット信号を用いて、例えばＳＩＲなどの周辺セルにおける無線品質を測定する。そして、無線品質測定部２２５は、ギャップ区間終了後に、周辺セルの無線品質の測定結果を含む測定報告を生成して接続基地局へ送信する。
【００４５】
メモリ２３０は、例えばＲＡＭ又はＲＯＭなどを備え、プロセッサ２２０が処理を実行するために使用する情報を記憶する。
【００４６】
次に、上記のように構成された無線通信システムにおけるＵＲＬＬＣデータの送信処理について、図５に示すシーケンス図を参照しながら説明する。以下においては、端末装置２００が接続基地局である基地局装置１００ａに接続しており、接続基地局の周辺には周辺基地局である基地局装置１００ｂがあるものとする。
【００４７】
端末装置２００が接続基地局である基地局装置１００ａに接続すると、基地局装置１００ａには、端末装置２００がＵＲＬＬＣのサービスを受ける端末装置であることが例えばコアネットワークから通知される。この通知を受け、基地局装置１００ａは、周辺セルにおける初期の無線品質を収集するためにギャップ区間を設定する。そして、ギャップ区間において、端末装置２００は、基地局装置１００ｂを含む周辺基地局からパイロット信号を受信し（ステップＳ２０１）、周辺セルの無線品質を測定する。周辺セルの無線品質の情報は、ギャップ区間終了後に基地局装置１００ａへ送信され（ステップＳ２０２）、基地局装置１００ａに初期の周辺セルの無線品質の情報が記憶される。
【００４８】
その後、接続基地局である基地局装置１００ａと端末装置２００の間の無線通信が実行され、端末装置２００は、基地局装置１００ａから周期的に送信されるパイロット信号を用いて接続セルの無線品質を測定する。無線品質の測定結果を含む測定報告は、端末装置２００から基地局装置１００ａへ送信され（ステップＳ２０３）、基地局装置１００ａの無線品質判定部１２３によって接続セルにおける無線品質が判定される（ステップＳ２０４）。すなわち、接続セルの無線品質が所定の測定閾値未満であるか否かが判定される。接続セルの無線品質が所定の測定閾値以上である場合には、引き続き基地局装置１００ａと端末装置２００の間の無線通信が継続されるが、ここでは、接続セルの無線品質が所定の測定閾値未満であるものとして説明を続ける。
【００４９】
接続セルの無線品質が所定の測定閾値未満である場合には、測定制御部１２４によって、初期の無線品質が最も良好な周辺セルが測定対象の周辺セルに決定され、決定された周辺セルの無線品質をギャップ区間において測定するように指示する測定指示が生成される。ここでは、基地局装置１００ｂが形成する周辺セルの無線品質が最も良好であり、この周辺セルが測定対象に決定されたものとする。測定指示には、測定対象の周辺セルを形成する周辺基地局の識別情報と周辺セルの周波数帯域の情報とが含まれるとともに、例えば開始時刻と終了時刻などのギャップ区間を特定する情報が含まれる。生成された測定指示は、接続基地局である基地局装置１００ａから端末装置２００へ送信される（ステップＳ２０５）。
【００５０】
測定指示が端末装置２００によって受信されると、測定指示は、端末装置２００の測定指示取得部２２３によって取得され、周波数切替制御部２２４によって、ギャップ区間中の通信周波数が測定対象の周辺セルの周波数帯域に切り替えられる。このため、ギャップ区間中は、端末装置２００は、接続基地局である基地局装置１００ａから送信された信号は受信せず、周辺基地局である基地局装置１００ｂから送信された信号を受信する。そこで、端末装置２００は、基地局装置１００ｂから送信されたパイロット信号を受信し（ステップＳ２０６）、端末装置２００の無線品質測定部２２５によって、パイロット信号を用いて周辺セルの無線品質が測定される。
【００５１】
ところで、ギャップ区間中に接続基地局である基地局装置１００ａにおいて、端末装置２００宛てのＵＲＬＬＣデータが発生すると、ＵＲＬＬＣ制御部１２５によって、ギャップ区間の測定対象となっている周辺セルの無線品質が所定の送信閾値以上であるか否かが判定される。すなわち、周辺セルの初期の無線品質又は前回のギャップ区間における無線品質が所定の送信閾値以上であるか否かが判定される。ここでは、基地局装置１００ｂが形成する周辺セルの過去の無線品質が所定の送信閾値以上であるものとして説明を続ける。
【００５２】
周辺セルの過去の無線品質が所定の送信閾値以上である場合には、周辺セルにおいてＵＲＬＬＣデータを送信可能であると判断され、ＵＲＬＬＣデータは、周辺基地局である基地局装置１００ｂへ転送される（ステップＳ２０７）。このＵＲＬＬＣデータは、基地局装置１００ｂのＵＲＬＬＣ制御部１２５、符復号部１２１、変復調部１２２及び無線送受信部１４０を経由して、端末装置２００へ送信される（ステップＳ２０８）。すなわち、ギャップ区間中に発生したＵＲＬＬＣデータは、接続セルの周波数帯域ではなく、周辺セルの周波数帯域で送信される。このため、ギャップ区間中に通信周波数を切り替えている端末装置２００は、ＵＲＬＬＣデータを受信することができ、ＵＲＬＬＣデータの遅延を最低限に抑制することができる。
【００５３】
周辺基地局である基地局装置１００ｂから送信されたＵＲＬＬＣデータが受信されると、ＵＲＬＬＣデータの受信確認応答としてＡＣＫ又はＮＡＣＫが基地局装置１００ｂへ送信される（ステップＳ２０９）。すなわち、端末装置２００の符復号部２２２による復号の結果、ＵＲＬＬＣデータが正常に復号された場合にはＡＣＫが送信され、ＵＲＬＬＣデータの再送が必要な場合にはＮＡＣＫが送信される。ＡＣＫ又はＮＡＣＫは、基地局装置１００ｂから基地局装置１００ａへ転送される（ステップＳ２１０）。
【００５４】
その後、ギャップ区間の終了時刻となると、端末装置２００の周波数切替制御部２２４は、通信周波数を接続セルの周波数帯域に切り替える。これにより、接続基地局である基地局装置１００ａと端末装置２００の間の無線通信が可能となり、ギャップ区間において測定された周辺セルの無線品質に関する測定報告が端末装置２００から基地局装置１００ａへ送信される（ステップＳ２１１）。周辺セルの無線品質に関する測定報告は、端末装置２００を周辺セルにハンドオーバさせるか否かの判断に用いられる。
【００５５】
以上のように、本実施の形態によれば、接続セルの無線品質が低下した場合には、ギャップ区間が設定されて周辺セルの無線品質が端末装置によって測定されるとともに、ギャップ区間に発生したＵＲＬＬＣデータは、接続基地局から周辺基地局へ転送されて周辺基地局から端末装置へ送信される。このため、端末装置がギャップ区間において通信周波数を切り替えていても、ＵＲＬＬＣデータは端末装置によって受信可能であり、ギャップ区間の終了を待機することなくＵＲＬＬＣデータを送信することができる。換言すれば、端末装置が通信周波数を切り替えるギャップ区間が設定される場合でも、データ送信の遅延を抑制することができる。
【００５６】
なお、上記実施の形態１においては、ＵＲＬＬＣデータに対するＡＣＫ又はＮＡＣＫが周辺基地局を介して接続基地局へ送信されるものとしたが、ＡＣＫ及びＮＡＣＫは、ギャップ区間終了後に直接接続基地局へ送信されても良い。図６は、ＡＣＫ又はＮＡＣＫが直接接続基地局へ送信される場合のシーケンス図である。図６において、図５と同じ部分には同じ符号を付す。
【００５７】
図６に示すように、ギャップ区間においては図５のＵＲＬＬＣデータ送信処理と同様に、ＵＲＬＬＣデータは、接続基地局である基地局装置１００から周辺基地局である基地局装置１００ｂへ転送され（ステップＳ２０７）、基地局装置１００ｂから端末装置２００へ送信される（ステップＳ２０８）。ただし、図６に示すＵＲＬＬＣデータ送信処理においては、ＵＲＬＬＣデータに対するＡＣＫ又はＮＡＣＫは、ギャップ区間中には送信されない。すなわち、ギャップ区間が終了して周辺セルの無線品質の測定報告が、ステップＳ２１１において端末装置２００から基地局装置１００ａへ送信されるのと同時又は測定報告の送信前後に、ギャップ区間中に送信されたＵＲＬＬＣデータに対してのＡＣＫ又はＮＡＣＫが端末装置２００から基地局装置１００ａへ直接送信される（ステップＳ２２０）。このように、ギャップ区間中に周辺基地局から送信されたＵＲＬＬＣデータに対するＡＣＫ及びＮＡＣＫが、ギャップ区間終了後に接続基地局へ送信されるようにすることも可能である。
【００５８】
また、例えばギャップ区間中にＵＲＬＬＣデータが周辺基地局から繰り返し送信されるようにして、ＵＲＬＬＣデータ伝送の信頼性を高めても良い。図７は、ＵＲＬＬＣデータが繰り返し送信される場合のシーケンス図である。図７において、図５と同じ部分には同じ符号を付す。
【００５９】
図７に示すように、ギャップ区間においては図５のＵＲＬＬＣデータ送信処理と同様に、ＵＲＬＬＣデータは、接続基地局である基地局装置１００から周辺基地局である基地局装置１００ｂへ転送される（ステップＳ２０７）。そして、基地局装置１００ｂは、転送されたＵＲＬＬＣデータを端末装置２００へ繰り返して送信する（ステップＳ２３０）。このようにＵＲＬＬＣデータを繰り返して送信することにより、冗長性が高まってＵＲＬＬＣデータ伝送の信頼性を向上することができる。また、ＵＲＬＬＣデータが繰り返して送信された場合には、図７に示すように、ＵＲＬＬＣデータに対するＡＣＫ又はＮＡＣＫの送信は省略されても良い。
【００６０】
（実施の形態２）
実施の形態２の特徴は、１つの基地局装置が生成する複数のセル間でＵＲＬＬＣデータを転送する点である。
【００６１】
図８は、実施の形態２に係る無線通信システムの構成を示す図である。図８に示すように、基地局装置１００は、図中破線で境界が示される複数のセルを形成し、端末装置２００は、在圏するセルを介して基地局装置１００との間で無線通信する。以下では、実施の形態１と同様に、端末装置２００が基地局装置１００と接続するために使用するセルを「接続セル」といい、接続セルの周辺のセルを「周辺セル」という。図８においては、基地局装置１００が形成する１つのセルが接続セルであり、基地局装置１００が形成する他のセルが周辺セルであるものとし、接続セルと周辺セルで使用される周波数帯域が異なるものとする。
【００６２】
端末装置２００は、接続セルにおける例えばＳＩＲなどの無線品質を定期的に測定し、基地局装置１００へ報告する。基地局装置１００は、報告された無線品質が所定の閾値未満に低下した場合に、端末装置２００に周辺セルの無線品質を測定させるためのギャップ区間を設定し、周辺セルの無線品質の測定指示を端末装置２００へ送信する。
【００６３】
端末装置２００は、基地局装置１００から測定指示を受信すると、ギャップ区間において通信周波数を周辺セルの周波数帯域に切り替え、周辺セルの無線品質を測定する。このとき、基地局装置１００において例えばＵＲＬＬＣデータが発生した場合、端末装置２００が通信周波数を周辺セルの周波数帯域に切り替えているため、基地局装置１００が接続セルを介してＵＲＬＬＣデータを送信しても、端末装置２００に受信されない。そこで、基地局装置１００は、ギャップ区間中に発生したＵＲＬＬＣデータを周辺セルを介して端末装置２００へ送信する。これにより、基地局装置１００は、ギャップ区間が終了するまで待機することなく、低遅延が要求されるＵＲＬＬＣデータを端末装置２００へ送信することができる。
【００６４】
図９は、実施の形態２に係る基地局装置１００の構成を示すブロック図である。図９において、図２と同じ部分には同じ符号を付し、その説明を省略する。図９に示す基地局装置１００は、図２に示した基地局装置１００の無線送受信部１４０に代えて無線送受信部１４０ａ、１４０ｂを有し、プロセッサ１２０内に無線送受信部１４０ａ、１４０ｂにそれぞれ対応するセル制御部３１０、３２０を有する。
【００６５】
セル制御部３１０は、無線送受信部１４０ａに対応し、端末装置２００と無線通信するための接続セルを制御する。具体的には、セル制御部３１０は、符復号部１２１、変復調部１２２、無線品質判定部１２３、測定制御部３１１及びＵＲＬＬＣ制御部３１２を有する。
【００６６】
測定制御部３１１は、接続セルの無線品質が所定の測定閾値未満に低下したことが無線品質判定部１２３から通知された場合に、ギャップ区間を設定し、周辺セルの無線品質を測定するように端末装置２００へ指示する。すなわち、測定制御部３１１は、接続セルの無線品質が低下した場合に、測定対象の周辺セルの識別情報及び周波数帯域の情報とともに、ギャップ区間を特定する情報を含む測定指示を生成し、無線送受信部１４０ａを介して端末装置２００へ送信する。このとき、測定制御部３１１は、複数の周辺セルのうち前回までのギャップ区間に測定された無線品質が最も良好な周辺セルを測定対象として測定指示を生成しても良い。また、測定制御部３１１は、測定指示に含まれる情報をＵＲＬＬＣ制御部３１２にも出力する。なお、ギャップ区間を特定する情報としては、例えばギャップ区間の開始時刻及び終了時刻の情報などがある。
【００６７】
ＵＲＬＬＣ制御部３１２は、ＵＲＬＬＣデータの送受信を制御する。具体的には、ＵＲＬＬＣ制御部３１２は、例えばコアネットワークから端末装置２００宛てのＵＲＬＬＣデータを取得することなどにより、送信すべきＵＲＬＬＣデータが発生した場合に、このＵＲＬＬＣデータを符復号部１２１へ出力する。また、ＵＲＬＬＣ制御部３１２は、ギャップ区間中に送信すべきＵＲＬＬＣデータが発生した場合には、測定対象となっている周辺セルの前回のギャップ区間における無線品質が所定の送信閾値以上であるか否かを判定する。そして、ＵＲＬＬＣ制御部３１２は、周辺セルの前回のギャップ区間における無線品質が所定の送信閾値以上である場合に、この周辺セルに対応するセル制御部３２０へＵＲＬＬＣデータを転送する。
【００６８】
セル制御部３２０は、無線送受信部１４０ｂに対応し、接続セルの周辺の周辺セルを制御する。具体的には、セル制御部３２０は、符復号部３２１、変復調部３２２及びＵＲＬＬＣ制御部３２３を有する。
【００６９】
符復号部３２１は、送信データの符号化及び受信データの復号を実行する。具体的には、符復号部３２１は、例えばギャップ区間中にＵＲＬＬＣ制御部３２３から出力されるＵＲＬＬＣデータの符号化をする。また、符復号部３２１は、変復調部３２２から出力される受信データを復号する。
【００７０】
変復調部３２２は、送信データの変調及び受信データの復調を実行する。具体的には、変復調部３２２は、符復号部３２１によって符号化された送信データを変調し、無線送受信部１４０ｂへ出力する。また、変復調部３２２は、無線送受信部１４０ｂから出力される受信データを復調し、符復号部３２１へ出力する。
【００７１】
ＵＲＬＬＣ制御部３２３は、ＵＲＬＬＣデータの送受信を制御する。具体的には、ＵＲＬＬＣ制御部３２３は、ギャップ区間中に接続セルに対応するセル制御部３１０から転送されたＵＲＬＬＣデータを取得し、符復号部３２１へ出力する。
【００７２】
無線送受信部１４０ａは、端末装置２００の接続セルを形成し、接続セルを介して端末装置２００との間で無線通信する。このとき、無線送受信部１４０ａは、送信データに対してＤ／Ａ変換及びアップコンバートなどの無線送信処理を施し、アンテナを介して送信する。無線送受信部１４０ａが送信する送信データには、例えばＵＲＬＬＣデータや測定指示などが含まれる。また、無線送受信部１４０ａは、アンテナを介して受信した受信データに対してダウンコンバート及びＡ／Ｄ変換などの無線受信処理を施し、プロセッサ１２０へ出力する。無線送受信部１４０ａが受信する受信データには、例えば周辺セルの無線品質の測定結果を含む測定報告などが含まれる。
【００７３】
無線送受信部１４０ｂは、端末装置２００の周辺セルを形成し、周辺セルを介して端末装置２００との間で無線通信する。このとき、無線送受信部１４０ｂは、送信データに対してＤ／Ａ変換及びアップコンバートなどの無線送信処理を施し、アンテナを介して送信する。無線送受信部１４０ｂが送信する送信データには、例えばギャップ区間中に発生したＵＲＬＬＣデータなどが含まれる。また、無線送受信部１４０ｂは、アンテナを介して受信した受信データに対してダウンコンバート及びＡ／Ｄ変換などの無線受信処理を施し、プロセッサ１２０へ出力する。無線送受信部１４０ｂが受信する受信データには、例えばギャップ区間中に端末装置２００から送信されたＡＣＫ又はＮＡＣＫなどが含まれる。
【００７４】
なお、図９においては、無線送受信部１４０ａ、１４０ｂが基地局装置１００内に設けられるものとしたが、無線送受信部１４０ａ、１４０ｂを含む無線装置が別体として設けられるようにしても良い。すなわち、プロセッサ１２０を有するＣＵ（Central  Unit）にそれぞれ無線送受信部１４０ａ、１４０ｂを有する複数のＤＵ（Distributed  Unit）が接続され、各ＤＵが接続セル又は周辺セルを形成する無線通信システムが構築されても良い。
【００７５】
また、実施の形態２に係る端末装置２００の構成は、実施の形態１に係る端末装置２００（図４）と同様であるため、その説明を省略する。
【００７６】
次に、上記のように構成された無線通信システムにおけるＵＲＬＬＣデータの送信処理について、図１０に示すシーケンス図を参照しながら説明する。以下においては、端末装置２００がセル制御部３１０によって制御される接続セルに接続しており、接続セルの周辺にはセル制御部３２０によって制御される周辺セルがあるものとする。
【００７７】
端末装置２００が接続セルに接続すると、基地局装置１００には、端末装置２００がＵＲＬＬＣのサービスを受ける端末装置であることが例えばコアネットワークから通知される。この通知を受け、接続セルを制御するセル制御部３１０は、周辺セルにおける初期の無線品質を収集するためにギャップ区間を設定する。そして、ギャップ区間において、端末装置２００は、セル制御部３２０に対応する周辺セルを介して送信されるパイロット信号を受信し（ステップＳ３０１）、周辺セルの無線品質を測定する。周辺セルの無線品質の情報は、ギャップ区間終了後に接続セルを介して送信され（ステップＳ３０２）、メモリ１３０に初期の周辺セルの無線品質の情報が記憶される。
【００７８】
その後、接続セルを介して基地局装置１００と端末装置２００の間の無線通信が実行され、端末装置２００は、接続セルを介して周期的に送信されるパイロット信号を用いて接続セルの無線品質を測定する。無線品質の測定結果を含む測定報告は、端末装置２００から接続セルを介して送信され（ステップＳ３０３）、セル制御部３１０の無線品質判定部１２３によって接続セルにおける無線品質が判定される（ステップＳ３０４）。すなわち、接続セルの無線品質が所定の測定閾値未満であるか否かが判定される。接続セルの無線品質が所定の測定閾値以上である場合には、引き続き接続セルを介した無線通信が継続されるが、ここでは、接続セルの無線品質が所定の測定閾値未満であるものとして説明を続ける。
【００７９】
接続セルの無線品質が所定の測定閾値未満である場合には、測定制御部３１１によって、初期の無線品質が最も良好な周辺セルが測定対象の周辺セルに決定され、決定された周辺セルの無線品質をギャップ区間において測定するように指示する測定指示が生成される。ここでは、セル制御部３２０に対応する周辺セルの無線品質が最も良好であり、この周辺セルが測定対象に決定されたものとする。測定指示には、測定対象の周辺セルの識別情報及び周波数帯域の情報が含まれるとともに、例えば開始時刻と終了時刻などのギャップ区間を特定する情報が含まれる。生成された測定指示は、接続セルを介して端末装置２００へ送信される（ステップＳ３０５）。
【００８０】
測定指示が端末装置２００によって受信されると、測定指示は、端末装置２００の測定指示取得部２２３によって取得され、周波数切替制御部２２４によって、ギャップ区間中の通信周波数が測定対象の周辺セルの周波数帯域に切り替えられる。このため、ギャップ区間中は、端末装置２００は、接続セルを介して送信された信号は受信せず、周辺セルを介して送信された信号を受信する。そこで、端末装置２００は、周辺セルを介して送信されたパイロット信号を受信し（ステップＳ３０６）、端末装置２００の無線品質測定部２２５によって、パイロット信号を用いて周辺セルの無線品質が測定される。
【００８１】
ところで、ギャップ区間中に基地局装置１００において、端末装置２００宛てのＵＲＬＬＣデータが発生すると、接続セルに対応するセル制御部３１０のＵＲＬＬＣ制御部３１２によって、周辺セルの無線品質が所定の送信閾値以上であるか否かが判定される。すなわち、周辺セルの初期の無線品質又は前回のギャップ区間における無線品質が所定の送信閾値以上であるか否かが判定される。ここでは、セル制御部３２０に対応する周辺セルの過去の無線品質が所定の送信閾値以上であるものとして説明を続ける。
【００８２】
周辺セルの過去の無線品質が所定の送信閾値以上である場合には、周辺セルにおいてＵＲＬＬＣデータを送信可能であると判断され、ＵＲＬＬＣデータは、周辺セルに対応するセル制御部３２０へ転送される（ステップＳ３０７）。このＵＲＬＬＣデータは、セル制御部３２０のＵＲＬＬＣ制御部３２３、符復号部３２１、変復調部３２２及び無線送受信部１４０ｂを経由して、端末装置２００へ送信される（ステップＳ３０８）。すなわち、ギャップ区間中に発生したＵＲＬＬＣデータは、接続セルの周波数帯域ではなく、周辺セルの周波数帯域で送信される。このため、ギャップ区間中に通信周波数を切り替えている端末装置２００は、ＵＲＬＬＣデータを受信することができ、ＵＲＬＬＣデータの遅延を最低限に抑制することができる。
【００８３】
周辺セルを介して送信されたＵＲＬＬＣデータが端末装置２００によって受信されると、ＵＲＬＬＣデータの受信確認応答としてＡＣＫ又はＮＡＣＫが周辺セルを介して送信される（ステップＳ３０９）。すなわち、端末装置２００の符復号部２２２による復号の結果、ＵＲＬＬＣデータが正常に復号された場合にはＡＣＫが送信され、ＵＲＬＬＣデータの再送が必要な場合にはＮＡＣＫが送信される。ＡＣＫ又はＮＡＣＫは、セル制御部３２０からセル制御部３１０へ転送される（ステップＳ３１０）。
【００８４】
その後、ギャップ区間の終了時刻となると、端末装置２００の周波数切替制御部２２４は、通信周波数を接続セルの周波数帯域に切り替える。これにより、接続セルを介した無線通信が可能となり、ギャップ区間において測定された周辺セルの無線品質に関する測定報告が接続セルを介して基地局装置１００へ送信される（ステップＳ３１１）。周辺セルの無線品質に関する測定報告は、端末装置２００を周辺セルにハンドオーバさせるか否かの判断に用いられる。
【００８５】
以上のように、本実施の形態によれば、接続セルの無線品質が低下した場合には、ギャップ区間が設定されて周辺セルの無線品質が端末装置によって測定されるとともに、ギャップ区間に発生したＵＲＬＬＣデータは、周辺セルを介して端末装置へ送信される。このため、端末装置がギャップ区間において通信周波数を切り替えていても、ＵＲＬＬＣデータは端末装置によって受信可能であり、ギャップ区間の終了を待機することなくＵＲＬＬＣデータを送信することができる。換言すれば、端末装置が通信周波数を切り替えるギャップ区間が設定される場合でも、データ送信の遅延を抑制することができる。
【００８６】
（実施の形態３）
実施の形態３の特徴は、１つの基地局装置が通信に用いる複数のキャリア間でＵＲＬＬＣデータを転送する点である。
【００８７】
図１１は、実施の形態３に係る無線通信システムの構成を示す図である。図１１に示すように、基地局装置１００は、互いに周波数が異なる複数のキャリアを同時に送受信しており、端末装置２００は、いずれか１つのキャリアを用いて基地局装置１００との間で無線通信する。以下では、端末装置２００が基地局装置１００と接続するために使用するキャリアを「接続キャリア」といい、接続キャリアと周波数が異なるキャリアを「別キャリア」という。
【００８８】
基地局装置１００は、接続キャリア及び別キャリアを用いる通信のトラフィックを監視し、接続キャリアのリソースが不足する場合に、端末装置２００に別キャリアの無線品質を測定させるためのギャップ区間を設定し、別キャリアの無線品質の測定指示を端末装置２００へ送信する。
【００８９】
端末装置２００は、基地局装置１００から測定指示を受信すると、ギャップ区間において通信周波数を指示された別キャリアの周波数に切り替え、別キャリアの無線品質を測定する。このとき、基地局装置１００において例えばＵＲＬＬＣデータが発生した場合、端末装置２００が通信周波数を別キャリアの周波数に切り替えているため、基地局装置１００が接続キャリアを用いてＵＲＬＬＣデータを送信しても、端末装置２００に受信されない。そこで、基地局装置１００は、ギャップ区間中に発生したＵＲＬＬＣデータを別キャリアによって端末装置２００へ送信する。これにより、基地局装置１００は、ギャップ区間が終了するまで待機することなく、低遅延が要求されるＵＲＬＬＣデータを端末装置２００へ送信することができる。
【００９０】
図１２は、実施の形態３に係る基地局装置１００の構成を示すブロック図である。図１２において、図２と同じ部分には同じ符号を付し、その説明を省略する。図１２に示す基地局装置１００は、図２に示した基地局装置１００のプロセッサ１２０内に、接続キャリア及び別キャリアにそれぞれ対応する対応するキャリア制御部４１０、４２０を有する。
【００９１】
キャリア制御部４１０は、接続キャリアに対応し、端末装置２００と無線通信するための接続キャリアを用いた通信を制御する。具体的には、キャリア制御部４１０は、符復号部１２１、変復調部１２２、リソース判定部４１１、測定制御部４１２及びＵＲＬＬＣ制御部４１３を有する。
【００９２】
リソース判定部４１１は、無線送受信部１４０における接続キャリアを用いたトラフィックの状況を監視し、接続キャリアのリソースが不足しているか否かを判定する。すなわち、リソース判定部４１１は、接続キャリアのリソースが所定の閾値以上使用中であるか否かを判定し、所定の閾値以上使用中である場合には、その旨を測定制御部４１２へ通知する。
【００９３】
測定制御部４１２は、接続キャリアのリソース使用量が所定の閾値以上に上昇したことがリソース判定部４１１から通知された場合に、ギャップ区間を設定し、別キャリアの無線品質を測定するように端末装置２００へ指示する。すなわち、測定制御部４１２は、接続キャリアのリソースが不足する場合に、測定対象の別キャリアの周波数の情報とともにギャップ区間を特定する情報を含む測定指示を生成し、無線送受信部１４０を介して端末装置２００へ送信する。このとき、測定制御部４１２は、複数の別キャリアのうち前回までのギャップ区間に測定された無線品質が最も良好な別キャリアを測定対象として測定指示を生成しても良い。また、測定制御部４１２は、測定指示に含まれる情報をＵＲＬＬＣ制御部４１３にも出力する。なお、ギャップ区間を特定する情報としては、例えばギャップ区間の開始時刻及び終了時刻の情報などがある。
【００９４】
ＵＲＬＬＣ制御部４１３は、ＵＲＬＬＣデータの送受信を制御する。具体的には、ＵＲＬＬＣ制御部４１３は、例えばコアネットワークから端末装置２００宛てのＵＲＬＬＣデータを取得することなどにより、送信すべきＵＲＬＬＣデータが発生した場合に、このＵＲＬＬＣデータを符復号部１２１へ出力する。また、ＵＲＬＬＣ制御部４１３は、ギャップ区間中に送信すべきＵＲＬＬＣデータが発生した場合には、測定対象となっている別キャリアの前回のギャップ区間における無線品質が所定の送信閾値以上であるか否かを判定する。そして、ＵＲＬＬＣ制御部４１３は、別キャリアの前回のギャップ区間における無線品質が所定の送信閾値以上である場合に、この別キャリアに対応するキャリア制御部４２０へＵＲＬＬＣデータを転送する。
【００９５】
キャリア制御部４２０は、別キャリアに対応し、接続キャリアとは異なる別キャリアを用いた通信を制御する。具体的には、キャリア制御部４２０は、符復号部４２１、変復調部４２２及びＵＲＬＬＣ制御部４２３を有する。
【００９６】
符復号部４２１は、送信データの符号化及び受信データの復号を実行する。具体的には、符復号部４２１は、例えばギャップ区間中にＵＲＬＬＣ制御部４２３から出力されるＵＲＬＬＣデータの符号化をする。また、符復号部４２１は、変復調部４２２から出力される受信データを復号する。
【００９７】
変復調部４２２は、送信データの変調及び受信データの復調を実行する。具体的には、変復調部４２２は、符復号部４２１によって符号化された送信データを変調し、無線送受信部１４０へ出力する。また、変復調部４２２は、無線送受信部１４０から出力される受信データを復調し、符復号部４２１へ出力する。
【００９８】
ＵＲＬＬＣ制御部４２３は、ＵＲＬＬＣデータの送受信を制御する。具体的には、ＵＲＬＬＣ制御部４２３は、ギャップ区間中に接続キャリアに対応するキャリア制御部４１０から転送されたＵＲＬＬＣデータを取得し、符復号部４２１へ出力する。
【００９９】
なお、実施の形態３に係る端末装置２００の構成は、実施の形態１に係る端末装置２００（図４）と同様であるため、その説明を省略する。
【０１００】
次に、上記のように構成された無線通信システムにおけるＵＲＬＬＣデータの送信処理について、図１３に示すシーケンス図を参照しながら説明する。以下においては、端末装置２００がキャリア制御部４１０によって制御される接続キャリアを用いて通信しており、接続キャリアとは異なる別キャリアを用いた通信がキャリア制御部４２０によって制御されるものとする。
【０１０１】
端末装置２００が接続キャリアを用いて基地局装置１００に接続すると、基地局装置１００には、端末装置２００がＵＲＬＬＣのサービスを受ける端末装置であることが例えばコアネットワークから通知される。この通知を受け、接続キャリアを制御するキャリア制御部４１０は、別キャリアにおける初期の無線品質を収集するためにギャップ区間を設定する。そして、ギャップ区間において、端末装置２００は、キャリア制御部４２０に対応する別キャリアを用いて送信されるパイロット信号を受信し（ステップＳ４０１）、別キャリアの無線品質を測定する。別キャリアの無線品質の情報は、ギャップ区間終了後に接続キャリアを用いて送信され（ステップＳ４０２）、メモリ１３０に初期の別キャリアの無線品質の情報が記憶される。
【０１０２】
その後、接続キャリアを用いて基地局装置１００と端末装置２００の間の無線通信が実行され、キャリア制御部４１０のリソース判定部４１１によって、無線送受信部１４０における接続キャリアのリソースが監視される。すなわち、接続キャリアのリソース使用量が所定の閾値以上であるか否かが判定され、接続キャリアのリソースが不足しているか否かが判定される（ステップＳ４０３）。接続キャリアのリソースが不足していない場合には、引き続き接続キャリアを用いた無線通信が継続されるが、ここでは、接続キャリアのリソース使用量が所定の閾値以上であるものとして説明を続ける。
【０１０３】
接続キャリアのリソース使用量が所定の閾値以上である場合には、測定制御部４１２によって、初期の無線品質が最も良好な別キャリアが測定対象の別キャリアに決定され、決定された別キャリアの無線品質をギャップ区間において測定するように指示する測定指示が生成される。ここでは、キャリア制御部４２０に対応する別キャリアの無線品質が最も良好であり、この別キャリアが測定対象に決定されたものとする。測定指示には、測定対象の別キャリアの周波数の情報が含まれるとともに、例えば開始時刻と終了時刻などのギャップ区間を特定する情報が含まれる。生成された測定指示は、接続キャリアを用いて端末装置２００へ送信される（ステップＳ４０４）。
【０１０４】
測定指示が端末装置２００によって受信されると、測定指示は、端末装置２００の測定指示取得部２２３によって取得され、周波数切替制御部２２４によって、ギャップ区間中の通信周波数が測定対象の別キャリアの周波数に切り替えられる。このため、ギャップ区間中は、端末装置２００は、接続キャリアを用いて送信された信号は受信せず、別キャリアを用いて送信された信号を受信する。そこで、端末装置２００は、別キャリアを用いて送信されたパイロット信号を受信し（ステップＳ４０５）、端末装置２００の無線品質測定部２２５によって、パイロット信号を用いて別キャリアの無線品質が測定される。
【０１０５】
ところで、ギャップ区間中に基地局装置１００において、端末装置２００宛てのＵＲＬＬＣデータが発生すると、接続キャリアに対応するキャリア制御部４１０のＵＲＬＬＣ制御部４１３によって、別キャリアの無線品質が所定の送信閾値以上であるか否かが判定される。すなわち、別キャリアの初期の無線品質又は前回のギャップ区間における無線品質が所定の送信閾値以上であるか否かが判定される。ここでは、キャリア制御部４２０に対応する別キャリアの過去の無線品質が所定の送信閾値以上であるものとして説明を続ける。
【０１０６】
別キャリアの過去の無線品質が所定の送信閾値以上である場合には、別キャリアを用いてＵＲＬＬＣデータを送信可能であると判断され、ＵＲＬＬＣデータは、別キャリアに対応するキャリア制御部４２０へ転送される（ステップＳ４０６）。このＵＲＬＬＣデータは、キャリア制御部４２０のＵＲＬＬＣ制御部４２３、符復号部４２１、変復調部４２２及び無線送受信部１４０を経由して、端末装置２００へ送信される（ステップＳ４０７）。すなわち、ギャップ区間中に発生したＵＲＬＬＣデータは、接続キャリアではなく別キャリアで送信される。このため、ギャップ区間中に通信周波数を切り替えている端末装置２００は、ＵＲＬＬＣデータを受信することができ、ＵＲＬＬＣデータの遅延を最低限に抑制することができる。
【０１０７】
別キャリアを用いて送信されたＵＲＬＬＣデータが端末装置２００によって受信されると、ＵＲＬＬＣデータの受信確認応答としてＡＣＫ又はＮＡＣＫが別キャリアを用いて送信される（ステップＳ４０８）。すなわち、端末装置２００の符復号部２２２による復号の結果、ＵＲＬＬＣデータが正常に復号された場合にはＡＣＫが送信され、ＵＲＬＬＣデータの再送が必要な場合にはＮＡＣＫが送信される。ＡＣＫ又はＮＡＣＫは、キャリア制御部４２０からキャリア制御部４１０へ転送される（ステップＳ４０９）。
【０１０８】
その後、ギャップ区間の終了時刻となると、端末装置２００の周波数切替制御部２２４は、通信周波数を接続キャリアの周波数に切り替える。これにより、接続キャリアを用いて無線通信が可能となり、ギャップ区間において測定された別キャリアの無線品質に関する測定報告が接続キャリアを用いて基地局装置１００へ送信される（ステップＳ４１０）。別キャリアの無線品質に関する測定報告は、基地局装置１００と端末装置２００の間の無線通信を別キャリアを用いて実行するか否かの判断に用いられる。
【０１０９】
以上のように、本実施の形態によれば、接続キャリアのリソースが不足した場合には、ギャップ区間が設定されて別キャリアの無線品質が端末装置によって測定されるとともに、ギャップ区間に発生したＵＲＬＬＣデータは、別キャリアを用いて端末装置へ送信される。このため、端末装置がギャップ区間において通信周波数を切り替えていても、ＵＲＬＬＣデータは端末装置によって受信可能であり、ギャップ区間の終了を待機することなくＵＲＬＬＣデータを送信することができる。換言すれば、端末装置が通信周波数を切り替えるギャップ区間が設定される場合でも、データ送信の遅延を抑制することができる。
【０１１０】
（実施の形態４）
実施の形態４の特徴は、周辺基地局と端末装置の位置関係に基づいて、端末装置に最も近い周辺基地局が形成する周辺セルを測定対象に選択する点である。
【０１１１】
実施の形態４に係る無線通信システムの構成は、実施の形態１（図１）と同様であるため、その説明を省略する。実施の形態４においては、基地局装置１００の構成が実施の形態１とは異なる。図１４は、実施の形態４に係る基地局装置１００の構成を示すブロック図である。図１４において、図２と同じ部分には同じ符号を付し、その説明を省略する。図１４に示す基地局装置１００は、図２に示す基地局装置１００の測定制御部１２４に代えて、測定制御部５０１を有する。
【０１１２】
測定制御部５０１は、接続セルの無線品質が所定の測定閾値未満に低下したことが無線品質判定部１２３から通知された場合に、ギャップ区間を設定し、周辺セルの無線品質を測定するように端末装置２００へ指示する。すなわち、測定制御部５０１は、接続セルの無線品質が低下した場合に、測定対象の周辺基地局の識別情報と周辺セルの周波数帯域の情報とともに、ギャップ区間を特定する情報を含む測定指示を生成し、無線送受信部１４０を介して端末装置２００へ送信する。このとき、測定制御部５０１は、端末装置２００の現在位置を推定し、あらかじめ記憶している周辺基地局の位置と端末装置２００の現在位置とから、端末装置２００の現在位置に最も近い周辺基地局を特定する。そして、測定制御部５０１は、特定した周辺基地局が形成する周辺セルを測定対象として測定指示を生成する。また、測定制御部５０１は、測定指示に含まれる情報をＵＲＬＬＣ制御部１２５にも出力する。なお、測定制御部５０１は、例えば端末装置２００からの信号の受信電力やタイミングアドバンス（ＴＡ）の情報に基づいて端末装置２００の現在位置を推定しても良いし、例えば端末装置２００がＧＰＳ（Global  Positioning  System）を用いて測位した結果を取得して現在位置を推定しても良い。
【０１１３】
なお、実施の形態４に係る端末装置２００の構成は、実施の形態１に係る端末装置２００（図４）と同様であるため、その説明を省略する。
【０１１４】
次いで、上記のように構成された基地局装置１００の動作について、図１５に示すフロー図を参照しながら説明する。以下においては、基地局装置１００が接続基地局である場合の動作について説明する。また、図１５において、図３と同じ部分には同じ符号を付す。
【０１１５】
基地局装置１００が端末装置２００の接続基地局となる場合、例えばコアネットワークから端末装置２００がＵＲＬＬＣのサービスを受ける端末装置であることが基地局装置１００へ通知される。本実施の形態においては、端末装置２００がＵＲＬＬＣのサービスを受ける通知を受けても、基地局装置１００は、周辺セルにおける初期の無線品質の収集を省略する。すなわち、基地局装置１００は、サービス開始時にギャップ区間を設定することなく、端末装置２００との無線通信を開始する。
【０１１６】
そして、基地局装置１００と端末装置２００の間の無線通信が開始されると、端末装置２００は、接続セルの無線品質を定期的に測定し、接続セルの無線品質の測定結果を含む測定報告を送信する。測定報告は、基地局装置１００の無線送受信部１４０によって受信され（ステップＳ１０２）、無線品質判定部１２３によって取得される。そして、無線品質判定部１２３によって、接続セルの無線品質が所定の測定閾値を比較され（ステップＳ１０３）、無線品質が所定の測定閾値未満である場合には（ステップＳ１０３Ｙｅｓ）、その旨が測定制御部５０１へ通知される。
【０１１７】
この通知を受け、測定制御部５０１によって、測定対象の周辺セルが決定される（ステップＳ５０１）。すなわち、測定制御部５０１によって、端末装置２００の現在位置が推定され、複数の周辺基地局のうち端末装置２００の現在位置に最も近い周辺基地局が選択される。選択された周辺基地局が形成する周辺セルは、測定対象の周辺セルに決定される。一般に、周辺基地局と端末装置２００の間の距離が小さければ、伝搬損失が小さく無線品質が良好であるため、端末装置２００の現在位置に最も近い周辺基地局が形成する周辺セルは、無線品質が良好な周辺セルである可能性が高い。このため、初期の無線品質が収集されていなくても、無線品質が良好である可能性が高い周辺セルを測定対象として選択することが可能となる。
【０１１８】
そして、測定制御部５０１によって、測定対象の周辺セルを形成する周辺基地局の識別情報と周辺セルの周波数帯域の情報とを含み、例えば開始時刻と終了時刻などのギャップ区間を特定する情報を含む測定指示が生成される。生成された測定指示は、無線送受信部１４０を介して端末装置２００へ送信される（ステップＳ５０２）。また、測定指示に含まれる情報は、ＵＲＬＬＣ制御部１２５にも出力される。
【０１１９】
これらの処理が実行される際も、ＵＲＬＬＣ制御部１２５によってＵＲＬＬＣデータが発生したか否かが監視される（ステップＳ１０５）。ＵＲＬＬＣデータが発生しなければ（ステップＳ１０５Ｎｏ）、ＵＲＬＬＣデータの送信に関する処理は終了する。一方、ＵＲＬＬＣデータが発生した場合には（ステップＳ１０５Ｙｅｓ）、ＵＲＬＬＣ制御部１２５によって測定制御部５０１から出力された情報が参照されることにより、ギャップ区間中であるか否かが判断される（ステップＳ１０６）。ギャップ区間中でない場合には（ステップＳ１０６Ｎｏ）、発生したＵＲＬＬＣデータは、符復号部１２１へ出力され、符復号部１２１によって符号化され、変復調部１２２によって変調された後、無線送受信部１４０によって無線送信処理が施され、アンテナを介して端末装置２００へ送信される（ステップＳ１０９）。このように、ＵＲＬＬＣデータの発生タイミングがギャップ区間中でない場合には、ＵＲＬＬＣデータは、遅延することなく即座に基地局装置１００から送信される。
【０１２０】
一方、ＵＲＬＬＣデータがギャップ区間中に発生した場合には（ステップＳ１０６Ｙｅｓ）、ＵＲＬＬＣ制御部１２５によって周辺セルの無線品質の情報が参照され、ギャップ区間における測定対象の周辺セルの過去の無線品質が所定の送信閾値以上であるか否かが判定される（ステップＳ１０７）。この判定の結果、周辺セルの無線品質が所定の送信閾値未満である場合には（ステップＳ１０７Ｎｏ）、周辺セルにおいてＵＲＬＬＣデータの送信が困難と考えられるため、ＵＲＬＬＣデータは、破棄されるか又はギャップ区間終了後に送信される。
【０１２１】
周辺セルの無線品質が所定の送信閾値以上である場合には（ステップＳ１０７Ｙｅｓ）、周辺セルにおいてＵＲＬＬＣデータの送信が可能と考えられるため、ＵＲＬＬＣ制御部１２５によってＵＲＬＬＣデータが基地局間Ｉ／Ｆ部１１０を介して周辺基地局へ転送される（ステップＳ１０８）。転送されたＵＲＬＬＣデータは、周辺基地局のＵＲＬＬＣ制御部１２５へ入力され、符復号部１２１、変復調部１２２及び無線送受信部１４０を経由してアンテナを介して端末装置２００へ送信される。ここでは、端末装置２００は、通信周波数を周辺セルの周波数帯域に切り替えて無線品質を測定しているため、周辺基地局から送信されたＵＲＬＬＣデータが端末装置２００によって受信される。このように、ＵＲＬＬＣデータの発生タイミングがギャップ区間中である場合には、ＵＲＬＬＣデータは、周辺基地局へ転送され、周辺基地局から即座に送信される。このため、ギャップ区間において端末装置２００が通信周波数を切り替えていても、データ送信の遅延を抑制することができる。
【０１２２】
以上のように、本実施の形態によれば、接続セルの無線品質が低下した場合には、ギャップ区間が設定されて周辺セルの無線品質が端末装置によって測定されるとともに、ギャップ区間に発生したＵＲＬＬＣデータは、周辺セルを介して端末装置へ送信される。このため、端末装置がギャップ区間において通信周波数を切り替えていても、ＵＲＬＬＣデータは端末装置によって受信可能であり、ギャップ区間の終了を待機することなくＵＲＬＬＣデータを送信することができる。換言すれば、端末装置が通信周波数を切り替えるギャップ区間が設定される場合でも、データ送信の遅延を抑制することができる。また、端末装置の現在位置と周辺基地局との位置関係に基づいて、ギャップ区間における測定対象の周辺セルが決定されるため、各周辺セルの初期の無線品質を収集する必要がない。
【０１２３】
なお、上記各実施の形態は適宜組み合わせて実施することが可能である。また、各実施の形態において、ギャップ区間中に送信されたＵＲＬＬＣデータに対するＡＣＫ又はＮＡＣＫは、ギャップ区間終了後に接続セル又は接続キャリアを用いて送信されても良い。さらに、ギャップ区間中に周辺セル又は別キャリアを用いてＵＲＬＬＣデータを繰り返し送信することにより冗長性を高め、ＡＣＫ及びＮＡＣＫの送信を省略しても良い。
【０１２４】
また、上記各実施の形態においては、遅延が一定基準を満たす必要があるデータの一例としてＵＲＬＬＣデータを挙げて説明したが、ギャップ区間中に転送されるデータは、必ずしもＵＲＬＬＣデータでなくても良い。
【符号の説明】
【０１２５】
１１０  基地局間Ｉ／Ｆ部
１２０、２２０  プロセッサ
１２１、２２２、３２１、４２１  符復号部
１２２、２２１、３２２、４２２  変復調部
１２３  無線品質判定部
１２４、３１１、４１２、５０１  測定制御部
１２５、３１２、３２３、４１３、４２３  ＵＲＬＬＣ制御部
１３０、２３０  メモリ
１４０、１４０ａ、１４０ｂ、２１０  無線送受信部
２２３  測定指示取得部
２２４  周波数切替制御部
２２５  無線品質測定部
３１０、３２０  セル制御部
４１０、４２０  キャリア制御部
４１１  リソース判定部
【図１】
2019187134.tif 000003
【図２】
2019187134.tif 000004
【図３】
2019187134.tif 000005
【図４】
2019187134.tif 000006
【図５】
2019187134.tif 000007
【図６】
2019187134.tif 000008
【図７】
2019187134.tif 000009
【図８】
2019187134.tif 000010
【図９】
2019187134.tif 000011
【図１０】
2019187134.tif 000012
【図１１】
2019187134.tif 000013
【図１２】
2019187134.tif 000014
【図１３】
2019187134.tif 000015
【図１４】
2019187134.tif 000016
【図１５】
2019187134.tif 000017
【国際調査報告】
2019187134.tif 000018
2019187134.tif 000019
2019187134.tif 000020
2019187134.tif 000021